(57)【要約】【課題】粘着シートロールを支持ローラから容易に取り外し可能とする【解決手段】支持ローラ３の側端３ｃには、弾性、可撓性を有する一対の板状の保持片３ｌ、３ｍが形成され、先端には、押圧片３ｎ、３ｏがそれぞれ付設されている。各押圧片３ｎ、３ｏは稍々間隔をおいて上下対称に配置されており、押圧片３ｎ、３ｏの外側には、ロール４の移動を規制するための係止突起３ｐが円弧状に形成されている。係止突起３ｐ同士の縁端間を結ぶ距離は、ロール４の内径よりも、係止のために僅かに大きくされている。  支持ローラ３に装着されたロール４の取り外しに際しては、親指で押圧片３ｎ、３ｏの中心部を押仕込むと、保持片３ｌ、３ｍが押圧片３ｎ、３ｏ同士の間隔を狭めるように弾性変形して内側に撓むので、両側の係止突起３ｐも径方向の内方に動き、巻芯４ａの係止が解除され、ロール４をそのまま引き出すことができる。【選択図】図３
2020054693.tif 000002
【特許請求の範囲】
【請求項１】
操作部の水平アームにより回転自在に支持される支持ローラの外周に、粘着シートロールを着脱自在に装着する粘着式クリーナであって、
前記支持ローラの側端には押圧部が設けられており、該押圧部は前記側端から前記支持ローラの軸方向の外方に向けて延出する保持片と、該保持片の先端から前記軸方向と直交する方向に延出する板状の押圧片とから構成され、
前記押圧片の縁部に前記粘着シートロールの後端部を係止する係止突起を備えることを特徴とする記載の粘着式クリーナ。
【請求項２】
前記粘着シートロールの取り外し時には、前記押圧片を指で前記軸方向に押し込むことで前記保持片を変形させて、前記係止突起による前記粘着シートロールの後端部の係止を解除することを特徴とする請求項１に記載の粘着式クリーナ。
【請求項３】
前記保持片は前記側端の外周から斜め方向に延出されていることを特徴とする請求項１又は２に記載の粘着式クリーナ。
【請求項４】
前記側端、前記保持片及び前記押圧片はＺ字状に配置されていることを特徴とする請求項３に記載の粘着式クリーナ。
【請求項５】
前記係止突起は前記押圧片の円弧状の縁部から外方に円弧状に突出していることを特徴とする請求項１〜４の何れか１項に記載の粘着式クリーナ。
【請求項６】
前記押圧部は一対の前記保持片及び押圧片を有することを特徴とする請求項１〜５の何れか１項に記載の粘着式クリーナ。
【発明の詳細な説明】
【技術分野】
【０００１】
本発明は、粘着シートが巻回された粘着シートロールを装着して使用する粘着式クリーナに関するものである。
【背景技術】
【０００２】
一般に、例えば床上の絨毯の繊維に絡まった髪の毛、又は繊維の間に入り込んだ細かな塵埃は、電気掃除機により吸引して取り除いている。しかし、掃除機では取り除くことができない絨毯の繊維に絡まる髪の毛などの場合には、回転自在の支持ローラに装着した粘着シートロールを用いた粘着式クリーナが多用されている。この粘着式クリーナは、粘着シートロールの粘着面を絨毯上で転がして、髪の毛や細かな塵埃などを粘着面に付着させて捕捉する。
【０００３】
粘着式クリーナに用いられる粘着シートロールは、粘着面が表側になるように円筒状に巻回され、最上層に露出している使用済の１周分を剥がして切り離せるように、ロールの１周分の間隔をおいて、切断線が軸方向に設けられている。
【０００４】
これにより、粘着面に髪の毛、細かな塵埃などが全周に渡って付着し、粘着性が低下して、それ以上の捕捉が困難となった場合には、粘着シートロールの１周分を剥離し、切断線で切り離す。使用済の粘着シートを切り離すと、下層の新たな粘着面が表側に露出することになる。
【０００５】
このようにして、巻回された粘着シートがなくなるまで、粘着シートロールを繰り返し使用することができ、髪の毛や細かな塵埃を簡便に捕捉することができる。しかも、巻回された粘着シートを使い尽くした場合には、新たな粘着シートロールを支持ローラに取り付けることにより、使用を継続することができる。
【０００６】
この粘着シートロールを用いた粘着式クリーナとして、例えば特許文献１においては、支持ローラの端板に設けたストッパーを操作することで、粘着テープロールの抜け防止を解除して、使い終わった粘着シートロールの巻芯を取り外している。
【０００７】
特許文献１の粘着式クリーナのストッパーでは、１対の弾性片の先端に設けたつまみ部の挿通孔に指を挿入して、つまみ部を互いに近接する方向に弾性変形させることで、粘着テープロールの解除を行う。
【先行技術文献】
【特許文献】
【０００８】
【特許文献１】特開２０１６−０４１２１９号公報
【発明の概要】
【発明が解決しようとする課題】
【０００９】
しかし、特許文献１の粘着式クリーナから粘着シートロールを繰り返して交換すると、弾性変形する１対の弾性片に対して、近接する方向に変形してしまい、衝撃等により粘着テープロールが簡単に外れてしまうという問題がある。更には、弾性片が折れてしまうこともある。
【００１０】
また、２つの指を挿入するため、一方の手で使い終わった粘着シートロールの巻芯を保持し、他方の手でストッパーを解除する必要があり、面倒である。更に、強度を有する１対の弾性片を弾性変形するために、強い力でつまみ部を互いに近接させる必要があり、指や手の力が弱い女性や年配者では、粘着シートロールを支持ローラから簡単に外すことができないという問題がある。
【００１１】
本発明の目的は、上述の課題を解消し、繰り返して粘着シートロールを交換しても、操作部が変形、破損することなく、また片手で簡単に粘着シートロールの係止状態を解除可能な粘着式クリーナを提供することにある。
【課題を解決するための手段】
【００１２】
前記目的を達成するための本発明に係る粘着式クリーナは、操作部の水平アームにより回転自在に支持される支持ローラの外周に、粘着シートロールを着脱自在に装着する粘着式クリーナであって、前記支持ローラの側端には押圧部が設けられており、該押圧部は前記側端から前記支持ローラの軸方向の外方に向けて延出する保持片と、該保持片の先端から前記軸方向と直交する方向に延出する板状の押圧片とから構成され、前記押圧片の縁部に前記粘着シートロールの後端部を係止する係止突起を備えることを特徴とする。
【発明の効果】
【００１３】
本発明に係る粘着式クリーナによれば、繰り返して粘着シートロールを交換しても変形、破損することがない。また、支持ローラの粘着シートロールに対する係止突起を弱い力でも径方向に縮小可能とされているので、粘着シートロールの取り外し時に係止突起の径を簡便に縮小させて、支持ローラから粘着シートロールを外すことができる。
【００１４】
また、粘着シートロールの巻芯を把持し、親指で押圧片の中心部を押すことで、片手で簡単に使い終わった粘着シートロールを取り外すことが可能である。
【図面の簡単な説明】
【００１５】
【図１】実施例１の粘着式クリーナの斜視図である。
【図２】断面図である。
【図３】支持ローラから粘着シートロールを分離した状態の斜視図である。
【図４】支持ローラに粘着シートロールを装着する状態の説明図である。
【図５】支持ローラから粘着シートロールを外す状態の説明図である。
【図６】実施例２の粘着式クリーナの斜視図である。
【図７】粘着式クリーナの側面図である。
【図８】実施例３の粘着式クリーナの斜視図である。
【発明を実施するための形態】
【００１６】
本発明を図示の実施例に基づいて詳細に説明する。
【実施例１】
【００１７】
図１は実施例１の粘着式クリーナ１の斜視図、図２は断面図、図３は支持ローラから粘着シートロールを分離した状態の斜視図である。粘着式クリーナ１の本体は、操作部２とその先端に回転自在に取り付けられた支持ローラ３とから成り、支持ローラ３に円筒状の粘着シートロール４が着脱自在に装着される。
【００１８】
操作部２は、手で保持する合成樹脂製の把持部２ａと、その先端に設けられた金属製の棒体であるアーム部２ｂとから成り、アーム部２ｂは把持部２ａから下方に垂下され、一旦斜め左方に曲成されてから再び垂下され、更に右水平方向に向けられた水平アーム２ｃが先端とされている。
【００１９】
操作部２の水平アーム２ｃは、略円筒形状である支持ローラ３の中心軸の中央部まで挿入されている。この支持ローラ３は合成樹脂製であり、水平アーム２ｃに対し回転自在ではあるが、抜け出し不能に取り付けられている。
【００２０】
水平アーム２ｃが挿入される側の支持ローラ３の一方の側端３ａは、底部を有する短円筒部３ｂとされ、反対側の側端３ｃは円板部３ｄとされている。短円筒部３ｂの底部と円板部３ｄとの間に、２枚の平行する条板３ｅ、３ｆが掛け渡されている。
【００２１】
短円筒部３ｂの底部の中心には水平アーム２ｃを挿入するための孔部３ｇが設けられていると共に、条板３ｅ、３ｆ間の中間部には、水平アーム２ｃの先端に取り付けた抜け防止リング２ｄを保持する環状空隙部３ｈが設けられている。環状空隙部３ｈ内に抜け防止リング２ｄが収容されることで、水平アーム２ｃから支持ローラ３は抜けることなく、回転自在に支持される。
【００２２】
また、短円筒部３ｂの外周は、粘着シートロール４の内周面を内側から支持し、短円筒部３ｂの開放側の外端部には、粘着シートロール４に支持ローラ３を挿入した際に、粘着シートロール４の前端部が当接する第1の係止部である環状突起３ｉが設けられている。
【００２３】
条板３ｅ、３ｆの内外面には、軸方向に沿って、また軸方向と直交して、補強用の複数のリブ３ｊが形成されており、短円筒部３ｂの外周、外側のリブ３ｊの縁部、条板３ｅ、３ｆの縁部は、粘着シートロール４を支持ローラ３に装着した場合に、粘着シートロール４の内周面に接することで、粘着シートロール４と支持ローラ３は一体化をする。
【００２４】
支持ローラ３の他方の側端３ｃには、押圧部３ｋが設けられており、この押圧部３ｋは、側端３ｃの円板部３ｄの外周近傍から軸方向の外方に向けて延出する一対の保持片３ｌ、３ｍと、これらの保持片３ｌ、３ｍの先端から軸方向と直交する方向に延出する板状の押圧片３ｎ、３ｏとから構成されている。なお、保持片３ｌ、３ｍは弾性、可撓性を有する素材を用いることが好ましい。
【００２５】
保持片３ｌ、３ｍは、先端に進むにつれ相互の間隔が狭くなるように斜め方向に延出されており、側面から見ると側端３ｃ、保持片３ｌ及び押圧片３ｎは、Ｚ字状に配置されている。
【００２６】
各押圧片３ｎ、３ｏは略半円状の板体で上下対称とされ、直線部を内側とし、直線部同士は稍々間隔をおいて配置されている。押圧片３ｎ、３ｏのそれぞれの円弧部の上下側の縁部には、粘着シートロール４の軸方向の移動を規制するための可動の第２の係止部である係止突起３ｐが、それぞれ円弧状に突出されており、係止突起３ｐの軸方向の外側は稍々斜めに先端が薄くなるようにされている。
【００２７】
これらの係止突起３ｐは粘着シートロール４を支持ローラ３に装着した際に、粘着シートロール４の後端部４ｃよりも外方の位置に配設されている。そして、これらの係止突起３ｐ同士の縁端間を結ぶ距離つまり径は、粘着シートロール４の内径よりも、係止のために僅かに大きくされている。
【００２８】
粘着シートロール４では、円筒状の巻芯４ａに帯状の粘着シート４ｂが、粘着面が表側になるように巻回されている。また、この粘着シート４ｂは、粘着面の全面に渡って髪の毛や細かい塵埃などが付着して粘着性を失うと、その露出部分を切り離せるように、粘着シート４ｂに予め例えばミシン目による切断線が設けられている。
【００２９】
この切断線は粘着シートロール４の１周分が切り離せるように設けられ、粘着シートロール４の軸方向又は軸方向に対して傾斜して設けられている。
【００３０】
使用に際して、支持ローラ３に粘着シートロール４を装着するには、図４に示すように、支持ローラ３の側端３ｃ側を、矢印のように粘着シートロール４内に挿入する。これにより、粘着シートロール４の前端部４ｄにより係止突起３ｐが押され、係止突起３ｐの外側は斜めに傾斜しているために、押されることにより保持片３ｌ、３ｍが側端３ｃを支点に弾性変形する。押圧片３ｎ、３ｏ同士の間隔が狭まり、押圧片３ｎ、３ｏの係止突起３ｐは内方にすぼまるように移動して、係止突起３ｐの縁端同士を結ぶ径が縮小するので、支持ローラ３は粘着シートロール４内に円滑に挿入されることになる。
【００３１】
支持ローラ３を更に押し込むと、支持ローラ３の側端３ａ側の短円筒部３ｂの環状突起３ｉが、粘着シートロール４の前端部４ｄに当接して前進を停止すると共に、粘着シートロール４の内周面が支持ローラ３のリブ３ｊ等の外周面に当接して支持される。同時に、係止突起３ｐが粘着シートロール４の後端部４ｃを潜り抜けることにより、すぼめられていた押圧片３ｎ、３ｏが復元し、図２に示すように、粘着シートロール４の後端部４ｃは、係止突起３ｐにより係止され、粘着シートロール４の軸方向の後方への移動が規制される。
【００３２】
粘着シートロール４を装着した粘着式クリーナ１を、操作部２の把持部２ａを片手で把持して、粘着シートロール４の粘着シート４ｂを床面等に当接させながら、支持ローラ３を回転させる。これにより、粘着シート４ｂの粘着面に、例えば絨毯の繊維に絡まっていた髪の毛や、繊維の隙間に挟まれた細かな塵埃などを付着させて捕捉することができる。
【００３３】
また、粘着シート４ｂの粘着面の全面に髪の毛や塵埃が付着して粘着性が失われると、巻回された最上層の粘着シート４ｂを剥がして切断線から切離して、次層の新たな粘着シート４ｂの粘着面を露出させることにより、繰り返しての使用が可能となる。粘着シート４ｂの全層を全て使い切り、巻芯４ａのみになった粘着シートロール４は、交換のために支持ローラ３から取り外す必要がある。
【００３４】
この取り外しに際しては、図５に示すように、例えば左手で粘着シートロール４の巻芯４ａを把持し、右手の親指Ｆで支持ローラ３の押圧片３ｎ、３ｏの中心部を軸方向に押圧する。これにより、押圧片３ｎ、３ｏを保持する保持片３ｌ、３ｍが押圧片３ｎ、３ｏの縁端同士の間隔を狭めるように弾性変形して内側に撓むので、両側の係止突起３ｐも径を狭める方向に動き、巻芯４ａの係止が解除され、巻芯４ａをそのまま矢印方向に引き出すことができる。
【００３５】
従来の粘着式クリーナでは、粘着シートロール４の係止を解除するまで係止個所を移動するのに必要とする力は、保持片の形状が変形し難い形状であったため強い力を必要とした。従って、繰り返して粘着シートロール４を交換すると、破損したり、保持片が変形したりしていた。
【００３６】
これに対して、実施例１の粘着式クリーナ１は、斜め方向に立設した保持片３ｌ、３ｍは、軸方向の力に対して変形し易い形状であるため、弱い押圧力で巻芯４ａの係止を解除することができる。また、保持片３ｌ、３ｍの全体が変形することから従来の粘着式クリーナのように、１個所に力が集中しないので形状が変形したり、破損することがない。
【実施例２】
【００３７】
図６は実施例２の粘着式クリーナ１’の斜視図を示しており、図７は側面図を示している。なお、図７において押圧部３ｋ’以外の支持ローラ３については、実施例１と同様であるため、説明を省略する。
【００３８】
実施例１では、支持ローラ３の円板部３ｄに、一対の保持片３ｌ、３ｍを介して押圧片３ｎ、３ｏが設けられている。これに対して実施例２の粘着式クリーナ１’は、円板部３ｄの端部近傍から斜め中央方向に向けて、１枚の弾性、可撓性を有する板状の保持片３ｌ’が延出されている。保持片３ｌ’の先端に１個の略円形の押圧片３ｎ’が設けられ、押圧片３ｎ’の上側の円弧状の縁部に、実施例１と同様に円弧状の係止突起３ｐ’が突出されている。なお、押圧片３ｎ’は略円形の形状をしているのに対して、実施例１の押圧片３ｎ、３ｏは、２つで略円形の形状をしている。
【００３９】
この実施例２においても、押圧片３ｎ’の縁部に設けられた係止突起３ｐ’は、粘着シートロール４の後端部４ｃを係止する役割を果たしている。係止突起３ｐ’は粘着シートロール４の後端部４ｃの片側のみを係止することになるが、その作用効果は実施例１とほぼ同様である。
【実施例３】
【００４０】
図７は実施例３の粘着式クリーナ１”の斜視図を示している。この実施例３の粘着式クリーナ１”においては、円板部３ｄから２枚の保持片３ｌ”３ｍ”が平行状態で延出されている。
【００４１】
そして、保持片３ｌ”、３ｍ”の先端には、それぞれ、実施例１と同様に、軸方向と直交する方向に延出する板状の押圧片３ｎ”、３ｏ”が設けられ、押圧片３ｎ”、３ｏ”の縁部にはそれぞれ係止突起３ｐ”が形成されている。また、保持片３ｌ”３ｍ”は肉薄とされ、柔軟性と共に弾性を備えている。
【００４２】
従って、この実施例３においても、保持片３ｌ”、３ｍ”の変形は容易であり、係止突起３ｐ”は実施例１、２と同様の機能を有している。
【符号の説明】
【００４３】
１  粘着式クリーナ
２  操作部
２ａ  把持部
２ｂ  アーム部
２ｃ  水平アーム
３  支持ローラ
３ｂ  短円筒部
３ｄ  円板部
３ｉ  環状突起
３ｌ、３ｌ’、３ｌ”、３ｍ、３ｍ”  保持片
３ｎ、３ｎ’、３ｎ”、３ｏ、３ｏ”  押圧片
３ｐ、３ｐ’、３ｐ”  係止突起
４  粘着シートロール
４ａ  巻芯
４ｂ  粘着シート
【図１】
2020054693.tif 000003
【図２】
2020054693.tif 000004
【図３】
2020054693.tif 000005
【図４】
2020054693.tif 000006
【図５】
2020054693.tif 000007
【図６】
2020054693.tif 000008
【図７】
2020054693.tif 000009
【図８】
2020054693.tif 000010